(57)【要約】      （修正有）【課題】排水管の流れを順調に保ち、かつ清潔さを確保できるバスタブまたは洗面台に取り付けることのできるノックアウト式排水トラップを提供する。【解決手段】ノックアウト式排水トラップは、Ｔ字状の管体からなり、内壁にブリッジが取り付けられ、ブリッジの中央部にとおり穴が設けられた排水トラップベース１０と、排水トラップベースに嵌設されたノックアウト軸組２０と、ノックアウト軸組２０に嵌設され、排水の不純物を濾過する下部フィルタディスク３０と、底部がノックアウト軸組２０の上端部と結合して固定された水止め蓋組と、を備える。このようなノックアウト式排水トラップによれば、排水管の流れを順調に保ち、かつ清潔さを確保することができる。【選択図】図１
0003184750.tif 000002
【実用新案登録請求の範囲】
【請求項１】
バスタブまたは洗面台に取り付けることのできるノックアウト式排水トラップであって、
最上部に円形のフランジが延設され、内部の中空区間は排水路を形成しているＴ字形管体からなり、当該Ｔ字形管体の内壁にはブリッジが設けられており、前記ブリッジの中央部分は軸スリーブを形成しており、前記軸スリーブの中央部にはとおり穴が設けられている排水トラップベースと、
外壁面に滑らかな壁および受け持ち外縁部を有しており、前記受け持ち外縁部の寸法が前記軸スリーブの寸法より大きく設けられていることによって、前記排水トラップベースの前記ブリッジに前記とおり穴を貫いた状態で固定されており、前記排水トラップベースの内部において上端が軸方向に移動するノックアウト軸組と、
底部が前記ノックアウト軸組の上端と結合して、前記ノックアウト軸組に固定されている水止め蓋組と、を備えることを特徴とするノックアウト式排水トラップ。
【請求項２】
前記排水トラップベースの下段は、取り付けられるバスタブまたは洗面台のバスタブ体の穴部を貫いており、
前記排水トラップベースの下段には、外管ねじ山部および内管ねじ山部が設けられており、
前記外管ねじ山部には、上部ゴムパッキンと、下部ゴムパッキンと、硬質プラスチックパッキンと、外管ナットとの組み合わせが設けられており、当該組み合わせによって前記排水トラップベースが前記バスタブ体の穴部に締め付けられており、
前記内管ねじ山部は、接続されるパイプのねじ山部とかみ合わさることを特徴とする、請求項１に記載のノックアウト式排水トラップ。
【請求項３】
前記上部ゴムパッキンおよび前記下部ゴムパッキンは前記バスタブ体を間に挟み込んでおり、
前記硬質プラスチックパッキンは前記下部ゴムパッキンの下方に取り付けられており、
前記外管ナットによって前記バスタブ体に圧迫固定されていることを特徴とする、請求項２に記載のノックアウト式排水トラップ。
【請求項４】
前記外管ねじ山部には、他の２つの外管ナット、および前記２つの外管ナットの間に位置するゴムリングが取り付けられており、
前記２つの外管ナットは、互いに特定距離に締付けられることによって、前記ゴムリングを圧迫して外側に膨張させ、前記ゴムリングの外径を調節しているることを特徴とする、請求項３に記載のノックアウト式排水トラップ。
【請求項５】
前記排水トラップベースの下段の外壁面には外管ねじ山部が設けられており、
前記外管ねじ山部には、他の２つの外管ナット、および前記２つの外管ナットの間に位置するゴムリングが取り付けられており、
前記２つの外管ナットは、互いに特定距離に締付けられることによって、前記ゴムリングを圧迫して外側に膨張させ、前記ゴムリングの外径を調節している
ことを特徴とする、請求項１に記載のノックアウト式排水トラップ。
【請求項６】
前記ノックアウト軸組の前記受け持ち外縁部に嵌設された、排水の不純物を濾過する下部フィルタディスクをさらに備えていることを特徴とする、請求項１に記載のノックアウト式排水トラップ。
【請求項７】
前記ノックアウト軸組に設けられ、かつ前記下部フィルタディスクの上方に位置している、排水の不純物を濾過する上部フィルタディスクをさらに備え、
前記上部フィルタディスクおよび前記下部フィルタディスクの各々の表面は、排水の不純物を濾過するための複数の穴を有しており、
前記上部フィルタディスクの穴は、前記下部フィルタディスクの穴より大きく設けられていることを特徴とする、請求項６に記載のノックアウト式排水トラップ。
【請求項８】
前記下部フィルタディスクと前記上部フィルタディスクとの間に配置された洗浄粒子をさらに備えていることを特徴とする、請求項７に記載のノックアウト式排水トラップ。
【請求項９】
前記排水トラップベースの下段には前記外管ねじ山部および内管ねじ山部のいずれか一方、またはその両方が設けられていることを特徴とする、請求項１に記載のノックアウト式排水トラップ。
【請求項１０】
前記水止め蓋組は、水止め蓋と水止めパッキンとを含んでおり、
前記水止め蓋の底部には内側にねじ穴を有する支柱が設けられており、
前記ノックアウト軸組の上端は短スクリューを有しており、
前記水止め蓋の前記支柱のねじ穴は、前記ノックアウト軸組の前記短スクリューに締付け固定されていることを特徴とする、請求項１に記載のノックアウト式排水トラップ。
【請求項１１】
前記水止め蓋組の外縁部には環状溝が設けられており、
前記水止めパッキンは外部に延設されるシート体を有することを特徴とする、請求項１０に記載のノックアウト式排水トラップ。
【考案の詳細な説明】
【技術分野】
【０００１】
本考案は、排水トラップ装置に関し、特にノックアウト式排水トラップに関する。
【背景技術】
【０００２】
公知技術の排水トラップは、ある程度の時間使用されると、排水が締付け具そばの穴を通過するとき部分的に塞き止められ、毛髪や不純物が蓄積すると共に、排水の速度も次第に低下するかまたは完全に詰まってしまうことがある。そのときは、手で水止め蓋を逆方向に回してゆるめ、自在管を引き離した上、排水トラップ内部の清掃を行う。また、完全に詰まっていて排水ができないときは、自在管を本体から抜き出して徹底的な清掃を行うことが必要となる。
【０００３】
一方、水止め蓋と、自在管と、本体の三者は元来の設計において、常に締結されることを前提としており、前述のように緩めたり締付けたりする動作は、元来の締付け力量に影響を受ける可能性がある。そこで、締付けるときの力量が大きすぎると、締付けすぎにより、緩めることができないことが発生し、工具を使用しなければ緩めることができない。このような事態は従来の設計時に予測されていないことである。さらに、ねじ山は締付けと緩めを繰り返すことにより締付け力量が低下する恐れがある。締付けが適正でない場合またはねじ山ピッチの加工で公差管理がよくない場合は、締付けとゆるめを繰り返すことによってねじ山の崩れまたは変形を引き起こし、噛みつきあるいは歯崩れといった不具合を発生しかねない。
【先行技術文献】
【特許文献】
【０００４】
【特許文献１】台湾特許第Ｍ４２１３４６号公報
【考案の概要】
【考案が解決しようとする課題】
【０００５】
さらに、公知技術の排水トラップでは構造に濾過装置が考えられていなかったため、毛髪や不純物が排水によって下方の配水管に流れ込み、排水パイプに滞積して不快なにおいまたは目詰まりを引き起こす。
【０００６】
本考案は、上記の課題を解決するノックアウト式排水トラップを提供することにある。
【課題を解決するための手段】
【０００７】
本考案は、前述した公知技術の排水トラップの構造における欠点について改良を行っており、進歩性および実用性をより有することを図っている。本考案の特長を以下のとおり説明する。
【０００８】
本考案のノックアウト式排水トラップは、Ｔ字状の管体からなり、内壁にブリッジが取り付けられ、ブリッジの中央部にとおり穴が設けられた排水トラップベースと、排水トラップベースに嵌設されたノックアウト軸組と、底部がノックアウト軸組の上端部と結合して固定された水止め蓋組とを備える。
【０００９】
上記構成によれば、排水管の流れを順調に保ち、かつ清潔さを確保できるノックアウト式排水トラップを実現することができる。
【考案の効果】
【００１０】
本考案のノックアウト式排水トラップは以下に示す機能と長所を有する。
【００１１】
イ、簡単なノックアウト方式により蓄水と排水が行える。
【００１２】
ロ、毛髪と不純物とを引き止めるフィルタディスクを設けることができる。環境保護の観点から、大部分の毛髪などの不純物を濾過して置き、下方の排水パイプに流させないという構造改良は間違いなく我々の居住環境に貢献できる。また、フィルタディスクは水止め蓋と併せて簡単に取り外し清掃ができる。
【００１３】
ハ、水止め蓋組はノックアウト軸組と併せて簡単に取り外し清掃ができ、バスタブの排水トラップと排水管の清潔さが確保されるほか、カビまたは不快臭の発生を防止できる。
【００１４】
ニ、自在管と締付け具上のねじ加工が不要であり、初期製造コストを少なくできるほか、使用後のねじ山破損に掛かる保守または交換コストも軽減できる。
【図面の簡単な説明】
【００１５】
【図１】本考案のノックアウト式排水トラップの分解図である。
【図２Ａ】本考案の排水トラップベースの断面図である。
【図２Ｂ】本考案の排水トラップベースの上面図である。
【図２Ｃ】考案の排水トラップベースと上部ゴムパッキンと、下部ゴムパッキンと、硬質プラスチックパッキンを示す図である。
【図３Ａ】本考案のノックアウト軸組の断面図である。
【図３Ｂ】本考案のノックアウト式排水トラップにおける各部材の結合を示す断面図である。
【図３Ｃ】本考案のノックアウト式排水トラップにおける各部材の結合を示す断面図である。
【考案を実施するための形態】
【００１６】
本考案について、図面を参照し、好ましい実施例を用いて以下の通り説明する。
【００１７】
以下の詳細説明は、本考案の好ましい実施例について説明するものである。ただし、該実施例は本考案になんらの制限を加わるものではない。本考案の技術精神に基づく均等な効果の応用又は変更は、すべて本考案の実用新案登録請求の範囲に含むものである。
【実施例】
【００１８】
図１〜図３Ｃに本考案のノックアウト式排水トラップを示す。本考案のノックアウト式排水トラップは、バスタブまたは洗面台に取り付けることができる。
【００１９】
図２Ａ〜図２Ｃに示すように、排水トラップベース１０は中空状のＴ字型管体であり、最上部には円形フランジ１２が形成される。円形フランジ１２はバスタブ体の予備穴に跨がることができる。排水トラップベース１０の内部周壁の下部にはブリッジ１４が形成され、ブリッジ１４の中央部分は軸スリープ１６が形成される。軸スリープ１６の内部には、とおり穴が設けられ、排水トラップベース１０が管体内部に有する穴部は排水路を形成する。
【００２０】
排水トラップベース１０の管体はバスタブ体を貫く。排水トラップベース１０の下部には外管ねじ山部１８１および内管ねじ山部１８２が設けられる。外管ねじ山部１８１は、上部ゴムパッキン８０と、下部ゴムパッキン８１と、硬質プラスチックパッキン８２と、外管ナット８６によって、排水トラップベース１０をバスタブ体の予備穴に締め付けることができる。内管ねじ山部１８２は接続されるパイプのねじ山に結合することができる。
【００２１】
そのうち、上部ゴムパッキン８０と下部ゴムパッキン８１はバスタブ体を挟み込んでおり、硬質プラスチックパッキン８２は上部ゴムパッキン８０の下方に取り付けられており、外管ナット８６によって圧迫、固定される。
【００２２】
前述した各部材のほか、外管ねじ山部１８１に２つの外管ナットがさらに設けられ、かつゴムリングが２つの外管ナットの間に嵌着される。２つの外管ナットを互いに特定距離に圧迫することによって、ゴムリングが圧迫を受けて外側に膨張し、ゴムリングの外径は２つの外管ナットの距離の増加によって調節される。
【００２３】
ゴムリングの外径の調節により、排水トラップベース１０をバスタブ体に取り付けた後、排水トラップベース１０の下部をパイプに挿入することによって、膨張したゴムリングの外径がパイプ内壁と接触し、排水トラップベース１０をパイプに固定する効果を有するとともに、バスタブ体とパイプとを連絡する。
【００２４】
図３Ａおよび図３Ｂに示すノックアウト軸組２０は、ノックアウト軸組の一例であり、一端を圧入されたとき、内部の構成品によって圧入端の位置が下がって固定され、再び圧入端を圧入したとき、圧入端が元の位置に戻される。このような機能には公知技術を用いることができる。公知技術は例えば台湾特許Ｍ４２１３４６号（特許文献１）のように、多くの構造がこの機能を実現しているため、本実施例での詳細説明を省略する。本考案はノックアウト軸組２０の外部特徴の改良に重点を置き、前述機能を達成するための内部構造には制限されない、よって、内部の構成はここでの説明を省略する。
【００２５】
そのうち、図示のノックアウト軸組２０は、ケーシングと、内部部材とを含む一体型である。
【００２６】
ノックアウト軸組２０は、排水トラップベース１０の内部に嵌設され、ノックアウト軸組２０の底部２２の外壁表面は、なめらかな表面を形成していて、受け持ち外縁部２０１を有する。受け持ち外縁部２０１のサイズは、軸スリープ１６内径のサイズより大きく設けられており、これによりノックアウト軸組２０は排水トラップベース１０のブリッジ１４に固定される。ノックアウト軸組２０の最上部は短スクリュー２６１を有する。ノックアウト軸組２０は、主に短スクリュー２６１を圧入されたとき、内部の構成によって短スクリュー２６１の上部位置が引き下がって固定され、再び短スクリュー２６１を圧入されたとき、短スクリュー２６１の上部が元の位置に戻る働きを有する。
【００２７】
下部フィルタディスク３０は、ノックアウト軸組２０の受け持ち外縁部２０１に嵌設され、下部フィルタディスク３０の表面には流れる液体の不純物を濾過するための複数の穴が開けられている。
【００２８】
上部フィルタディスクがノックアウト軸組２０の受け持ち２０１の上方に位置し、上部フィルタディスクの表面には流れる液体の不純物を濾過するため複数の穴が開けられている。そのうち、上部フィルタディスク表面の穴サイズは下部フィルタディスク３０表面の穴より大きく設けられている。まず上部フィルタディスクによって流れる液体に含まれる大きい不純物を濾過させ、下部フィルタディスク３０によって液体に含まれる小さい不純物を濾過させる。これにより、排出される液体に含まれる不純物を少なくすることによって、パイプが異物による目詰まりの発生率を軽減できる。
【００２９】
下部フィルタディスク３０と上部フィルタディスクとの間には、複数の洗浄粒子がそれぞれ取り付けられる。洗浄粒子から析出する清潔剤成分によって、フィルタディスクの区域に不快なにおいまたは垢が形成しにくく、後部のパイプの疎通および目詰まり防止に役立つ。
【００３０】
水止め蓋組４０は、ノックアウト軸組２０の短スクリュー２６１に結合する水止め蓋４２および防水ゴムリング４４を有する。水止め蓋４２の最上部は傘に類似した型の蓋体を形成していて、その外縁部は環状溝を形成しており、環状溝は防水ゴムリング４４の嵌着に提供される。防水ゴムリング４４は外部に延設されるシート体を有する。水止め蓋組４０は、水止め蓋４２と排水トラップ最上部の開口部とを閉合したときに水止め効果を有する。水止め蓋４２の底部の中央部分には、底部からねじ山を設けられたピン体が形成されて、当該ねじ山は短スクリュー２６１と釣り合って締結することができる。
【００３１】
次に、図３Ｂおよび図３Ｃを参照する。前述した各部品の相互関係および機能により、本考案のキーポイントは、ノックアウト軸組２０の短スクリュー２６１が押圧されたとき、内部の構成品によって、短スクリュー２６１の先端部位置が引き下がって固定され、短スクリュー２６１が再び押圧されたときは、短スクリュー２６１の最上端が初期の所定位置に戻される点にある。
【００３２】
前述した特性を利用し、水止め蓋４２が押圧を受けると、ノックアウト軸組２０内部の構成によって、短スクリュー２６１が引き下がって固定され、水止め蓋４２と防水ゴムリング４４とが排水トラップベース１０の円形フランジ１２に嵌着して、図３Ｃに示す閉合状態を形成する。これに対して、水止め蓋４２が再び押圧されたときは短スクリュー２６１の上部が元の位置に戻り、水止め蓋４２と排水トラップベース１０の円形フランジ１２は、図３Ｂに示す開放状態を形成する。これがノックアウト式の水溜めおよび排水の内部機構である。
【００３３】
本考案の据え付けおよび使用について簡単に説明し、前述した各部材の働きと機能とを統合する。まず、水止め蓋組４０をノックアウト軸組２０上に締め付けた後、この組み合わせを排水トラップベース１０に嵌着して、本考案のノックアウト式排水トラップを形成する。続いて、この組み合わせを上部ゴムパッキン８０に嵌着した後、バスタブ体の予備穴に嵌着させ、下部より下部ゴムパッキン８１と、硬質プラスチックパッキン８２と外管ナット８６とを嵌着させた後締め付けており、排水トラップをバスタブに組み合わせて固定して設置できる。
【００３４】
排水トラップの水止め蓋４２が開放状態のとき、手または足で水止め蓋４２を押圧して固定位置にはじき出した後、水止め蓋４２が閉合し水溜め可能な状態になる。同じく、排水トラップの水止め蓋４２が閉合状態のとき、手または足で水止め蓋４２を押圧して固定位置にはじき出した後、水止め蓋４２が開放して排水状態となる。このような押圧操作は繰り返して実施可能である。使用の際に排水速度の異常に気づいたときにはいつでも、排水トラップの水止め蓋４２を解放状態にして、水止め蓋組４０と、ノックアウト軸組２０とを簡単に抜き出して、上部フィルタディスクと、下部フィルタディスク３０と、排水トラップベース１０内部に溜めていた異物または目詰まりをチェックおよび清掃できる。そのほか、水を溜めていない状態において、水止め蓋組４０とノックアウト軸組２０とを併せて抜き出し、予防的な清掃と保守を行うことによって、バスタブおよびその下方の排水管の流れを順調に保ち、清潔さをさらに確保できる。さらに、２つのフィルタディスクの間に洗浄粒子を取り付けることによって、臭気と垢除去の働きを達成できる。
【００３５】
本実施例では、ノックアウト軸組２０において、ノックアウト軸２６と、ノックアウト軸２６の最上端に接続する部材が排水トラップベース１０の内部で軸方向に移動可能であり、かつ、特定の位置に停留可能である。だだし、本考案のノックアウト軸組２０の内部構造は限定されない。
【符号の説明】
【００３６】
１０  ・・・排水トラップベース
１２  ・・・円形フランジ
１４  ・・・ブリッジ
１６  ・・・軸スリープ
１８１・・・外管ねじ山部
１８２・・・内管ねじ山部
２０  ・・・ノックアウト軸組
２２  ・・・底部
２６  ・・・ノックアウト軸
２０１・・・受け持ち外縁部
２６１・・・短スクリュー
３０  ・・・下部フィルタディスク
４０  ・・・水止め蓋組
４２  ・・・水止め蓋
４４  ・・・防水ゴムリング
８０  ・・・上部ゴムパッキン
８１  ・・・下部ゴムパッキン
８２  ・・・硬質プラスチックパッキン
８６  ・・・外管ナット
【図１】
0003184750.tif 000003
【図２Ａ】
0003184750.tif 000004
【図２Ｂ】
0003184750.tif 000005
【図２Ｃ】
0003184750.tif 000006
【図３Ａ】
0003184750.tif 000007
【図３Ｂ】
0003184750.tif 000008
【図３Ｃ】
0003184750.tif 000009